(57)【要約】【課題】  本発明は、車両に搭載されるナビゲーション装置における表示パネルを円滑に且つ自在に傾動することができるパネル傾動装置を提供する。【解決手段】  パネル装着枠体２の側壁の内面に形成された案内溝Ｃ１、Ｃ２に、パネル枠体５の上端に取り付けられたローラーＲ１と、遊動板６の端部に取り付けられたローラーＲ２とが嵌合される。遊動板の他端とパネル枠体の下部とにバネ７が接続される。パネル本体に設けられた係合ピンＰ１、Ｐ２が、遊動板のピン遊嵌長孔Ｈ１、Ｈ２に遊嵌係合する。作動棒４が矢印方向に駆動され、パネル本体が傾動されると、各ローラーが案内溝を下方に移動し、各係合ピンが各長孔内で変位し、パネル本体下部にバネ力が加わる。パネル本体の傾き復帰において、作動棒の引き込み駆動力に加えて、バネ力も、ローラーＲ１に伝達され、パネル本体の傾き復帰を円滑に行うことができる。【選択図】      図４
2006337755.tif 000002
【特許請求の範囲】
【請求項１】
パネル本体の側壁の上端に取り付けられ、該パネル本体の装着枠体の前記側壁に対向する内側面の長手方向に形成された第１摺動面に沿って摺動する第１摺動部品と、
前記装着枠体の前記内側面に前記第１摺動面に並行して形成された第２摺動面に沿って摺動する第２摺動部品と、
前記第２摺動部品が端部に取り付けられ、前記パネル本体の前記側壁に設けられた係合ピンが該端部と離れた位置で遊嵌挿入される長孔が備えられた遊動板と、
前記パネル装着枠の下部で出入駆動され、前記パネル本体の下部において回動自在に取り付けられた作動棒と、を備え、
前記作動棒が駆動されたとき、前記第１摺動部品が前記第１摺動面に沿って移動するとともに、前記第２摺動部品が前記第２摺動面に沿って移動し、前記係合ピンが前記長孔内を遊嵌して変位することを特徴とするパネル傾動装置。
【請求項２】
前記第１摺動部品及び第２摺動部品は、ローラーを有することを特徴とする請求項１に記載のパネル傾動装置。
【請求項３】
バネが、前記パネル本体の前記側面の下部と、前記遊動板の前記端部と反対側の端部との間に連結され、前記遊動板を前記下部の方向にバネ付勢することを特徴とする請求項１又は２に記載のパネル傾動装置。
【請求項４】
前記遊動板は、前記変位の方向に沿って設けられた２個の前記長孔を有し、該２個の長孔に合わせて、２個の前記係合ピンが、前記長孔の配置間隔に合わせて前記パネル本体の前記側壁に設けられることを特徴とする請求項１乃至３のいずれか一項に記載のパネル傾動装置。
【請求項５】
前記遊動板は、前記パネル本体の対向する両側壁に沿って各々配置され、各遊動板は、前記パネル本体の背面において連続する板体の両端に一体的に形成されることを特徴とする請求項１乃至４のいずれか一項に記載のパネル傾動装置。
【請求項６】
前記第２摺動面は、前記装着枠体の前記内側面の下部において、奥行き方向に湾曲していることを特徴とする請求項１乃至５のいずれか一項に記載のパネル傾動装置。
【請求項７】
前記第１摺動面及び前記第２摺動面は、前記装着枠体の前記内側面に形成された溝の側面であることを特徴とする請求項１乃至６のいずれか一項に記載のパネル傾動装置。
【請求項８】
前記第１摺動面は、前記装着枠体の前面であることを特徴とする１乃至６のいずれか一項に記載のパネル傾動装置。
【請求項９】
前記パネル本体は、電子機器における表示パネルを有することを特徴とする請求項１乃至８のいずれか一項に記載のパネル傾動装置。
【発明の詳細な説明】
【技術分野】
【０００１】
本発明は、パネルを傾動操作できるパネル傾動装置に関し、特に、電子機器に組み込まれた、例えば、車両に搭載されるナビゲーション装置における表示パネルを円滑に且つ自在に傾動することができるパネル傾動装置に関する。
【背景技術】
【０００２】
近年においては、液晶表示（ＬＣＤ）を使用して画像を表示できる表示パネルが、テレビジョン装置、パーソナルコンピュータ（ＰＣ）、コンパクトディスク、デジタルバーサタイルディスク（ＤＶＤ）などの記録媒体を情報源とする各種情報処理装置などの電子機器に使用されている。また、車両内に搭載される電子機器の一つであるナビゲーション装置においても、地図情報を表示するためのＬＣＤによる表示パネルが備えられている。
【０００３】
この車両搭載用ナビゲーション装置の従来例が、図７に示されている。図７に示されたナビゲーション装置は、例えば、乗用車の運転席の前に配置されたインスツルメントパネルに組み込まれる直方体の形状を有し、その外観が示されている。１は、インスツルメントパネルに設けられた装着スペースに挿入固定されるナビゲーション装置の筐体であり、図７では、その筐体１の後部が省略されて開示されている。
【０００４】
筐体１の前面には、パネル装着枠体２が取り付けられ、図７に示されるように、パネル本体が、このパネル装着枠体２の枠内に収納される。このパネル本体は、ＬＣＤによる表示パネルＤと、この表示パネルＤを装置に装着するためのパネル枠体３とを有している。図７に示された表示パネルＤでは、表示面がタッチパネルに形成されており、ナビゲーション装置に関連した入力・操作ボタンが設定されている。なお、表示パネルＤが、タッチパネル形式でない場合には、遠隔操作できるように構成するか、或いは、パネル枠体２自体の前面幅を広くして、その幅部分に入力・操作ボタンを配置することもできる。
【０００５】
ところで、近年の車載用ナビゲーション装置では、表示パネルＤには、地図情報や交通情報が表示されるだけでなく、ＤＶＤなどに記録された映像や、種々の記録媒体に記録された音楽などを車内で再生する機能を備えるなど、多機能化が図られている。そこで、車載用であり、取り付けスペースが制限されていることを考慮し、限られたスペースを有効利用するものとして、表示パネルＤを傾動させて、ナビゲーション装置の前面を開放する構成としている。
【０００６】
図８に示されるように、ＤＶＤなどの記録媒体を着脱自在に装着できるように、表示パネルＤを、装置の前方に引き出し、後ろに倒れる形態で傾動させるようにしている。表示パネルＤを傾動させて開放されたナビゲーション装置の前面には、ＤＶＤ又はＣＤをドライブに着脱自在に挿入することができるローディング機能を備えたスロットＳ１や、カード又はメモリなどの記録媒体に対応して着脱自在に挿入できるスロットＳ２が設けられている。さらに、この装置の前面に、操作ボタンを配置することもできる。
【０００７】
表示パネルＤは、ナビゲーション装置に装着するためのパネル枠体３を備え、このパネル枠体３の対向する両側面の各々の上端部には、摺動部品（図示なし）がそれぞれ取り付けられている。各摺動部品は、パネル装着枠体２の両側壁の内側面に長手方向に形成されたそれぞれの案内溝Ｃに嵌め込まれ、表示パネルＤの傾動に応じて、案内溝Ｃを上下に摺動する。なお、各摺動部品は、単に案内溝Ｃの内面を摺動するものだけでなく、コロと称される回転する溝幅より小径のローターであってもよい。
【０００８】
表示パネルＤの傾動は、ナビゲーション装置の内部に備えられた傾動用の駆動源、例えば、電動モータの駆動によって行われる。この電動モータには、パネル装着枠体２の下部の２箇所、図８の場合には、該枠体２の下部の両端において、水平に出入する２本の作動棒４が接続される。その作動棒４の先端が、パネル枠体３の下部において、回動自在な状態で連結されている。なお、１本の作動棒が、枠体２の下部の中央部で出入するように配置されてもよい。
【０００９】
表示パネルＤは、ナビゲーション装置としての使用時においては、図７に示されるように、パネル装着枠体２内に収納されている。例えば、新しいＤＶＤのドライブへの挿入、ＤＶＤの交換などの場合には、表示パネルＤの画面上に表示されたタッチパネル形式のイジェクトボタンが押圧されると、電動モータが駆動され、作動棒４が、装置前方に突き出てくる。この作動棒４の移動に応じて、パネル枠体３の上端部の摺動部品が、案内溝Ｃ内で規制を受けながら摺動して下がる。
【００１０】
作動棒４が前方に突き出るように駆動されると、摺動部品が案内溝Ｃに沿って下方に移動するため、結果として、表示パネルＤは、図７に示された収納状態から、図８に示されるように、傾動状態に移行する。なお、作動棒４の駆動は、突き出し限界になると、自動的に停止されるように設計されるが、表示パネルＤの傾動は、パネル枠体３と作動棒４とが平行になる前で、所定角度を残して停止されることが好ましい。これは、作動棒４を引き込み駆動して、表示パネルＤを立ち上げる場合に、摺動部品の案内溝Ｃ内における上方への摺動開始を容易にするためである。
【発明の開示】
【発明が解決しようとする課題】
【００１１】
一方、最近においては、例えば、車両搭載用のナビゲーション装置における表示パネルの場合に、ナビゲーション装置の多機能を利用し、使用される表示パネル自体にも、多様な表示機能や表示形式（例えば、左右方向へ異なる映像を表示できる表示パネル）にすることが提案されている。しかしながら、そのような機能や表示形式を追加、実現するにあたって、表示パネルに組み込まれる部品数も多くなり、多くの部品数を組み込むために、パネル本体の体積も増大するのに対して、自動車のインスツルメントパネルに取り付けるスペースに余裕がないことから、表示パネル本体の体積を拡大することが困難な状況になっている。
【００１２】
そのため、部品数の増加を表示パネル本体の厚さで対処すると、表示パネルＤの背面に更にパネル収納本体を形成することになり、図７に示された従来のナビゲーション装置で使用されるＬＣＤの表示パネルＤのように、表示パネルの全てをパネル装着枠体２の内側に収納することができない。そこで、パネル収納本体を有する表示パネルをそのまま従来のナビゲーション装置に組み込んだ場合には、表示パネルの厚さに起因して、パネル傾動時に、パネル枠体３の上端部が、パネル装着枠体２に当ってしまい、パネル傾動に支障がでるという問題がある。
【００１３】
また、部品数の増加によって、表示パネル本体の重量も増加することになる。そのため、図７に示されたような表示パネルの傾動機構によったのでは、作動棒４を駆動する電動モータのパワーアップが要求されるため、コスト増加を招来することになり、駆動騒音も大きくなる。さらに、限られたスペースの環境においては、電動モータの大型化する余裕が無く、ナビゲーション装置の設計に支障を来たすという問題がある。
【００１４】
そこで、本発明は、ナビゲーション装置などの電子機器の前面に組み込まれるパネルに関して、パネル本体の厚さが増大しても、更に、パネル本体の重量が重くなっても、電子機器に備えられたパネル傾動用駆動源をそのまま利用でき、該パネルを円滑に且つ自在に傾動操作することができるパネル傾動装置を提供することを目的とする。
【課題を解決するための手段】
【００１５】
以上の課題を解決するために、本発明によるパネル傾動装置では、パネル本体の側壁の上端に取り付けられ、該パネル本体の装着枠体の前記側壁に対向する内側面の長手方向に形成された第１摺動面に沿って摺動する第１摺動部品と、前記装着枠体の前記内側面に前記第１摺動面に並行して形成された第２摺動面に沿って摺動する第２摺動部品と、前記第２摺動部品が端部に取り付けられ、前記パネル本体の前記側壁に設けられた係合ピンが該端部と離れた位置で遊嵌挿入される長孔が備えられ遊動板と、前記パネル装着枠の下部で出入駆動され、前記パネル本体の下部において回動自在に取り付けられた作動棒と、を備え、前記作動棒が駆動されたとき、前記第１摺動部品が前記第１摺動面に沿って移動するとともに、前記第２摺動部品が前記第２摺動面に沿って移動し、前記係合ピンが前記長孔内を遊嵌して変位するようにした。
【００１６】
そして、前記第１摺動部品及び第２摺動部品は、ローラーを有することとし、バネが、前記パネル本体の前記側面の下部と、前記遊動板の前記端部と反対側の端部との間に連結され、前記遊動板を前記下部の方向にバネ付勢することとした。
【００１７】
前記遊動板は、前記変位の方向に沿って設けられた２個の前記長孔を有し、該２個の長孔に合わせて、２個の前記係合ピンが、前記長孔の配置間隔に合わせて前記パネル本体の前記側壁に設けられ、さらに、前記パネル本体の対向する両側壁に沿って各々配置され、各遊動板は、前記パネル本体の背面において連続する板体の両端に一体的に形成されることとした。
【００１８】
前記第２摺動面は、前記装着枠体の前記内側面の下部において、奥行き方向に湾曲していることとした。
【００１９】
前記第１摺動面及び前記第２摺動面は、前記装着枠体の前記内側面に形成された溝の側面であることとし、或いは、前記第１摺動面は、前記装着枠体の前面であるとした。
【００２０】
前記パネル本体は、電子機器における表示パネルを有することとし、さらには、前記パネル本体が、車両搭載用ナビゲーション装置の表示パネルを有することとした。
【発明の効果】
【００２１】
以上のように、本発明のパネル傾動装置によれば、パネル装着枠体の側壁の内側面に２本の案内溝が設けられ、一の案内溝には、パネル枠体５の上端部に取り付けられた摺動部品が嵌合されて摺動し、他の案内溝には、遊動板の端部に取り付けられた摺動部品が嵌合されて摺動され、さらに、パネル枠体と遊動板とがバネで連結されるようにしたので、パネル本体の下部に連結された作動棒が駆動されて、パネル本体が傾動されたとき、バネが遊動板をパネル本体の下部方向にバネ付勢し、そのバネ力が、パネル枠体と遊動板とを引張し合い、パネル本体の引き起こしを助ける方向に作用するとともに、パネル枠体のガタツキを抑制でき、円滑なパネルの傾動を実現できた。
【００２２】
また、パネル本体が重い場合であっても、パネル本体の傾き復帰に際して、作動棒による駆動力に、バネ力が付加されるので、本発明のパネル傾動装置は、パネル傾動の駆動源の省力化を図ることができ、車両搭載用のナビゲーション装置に組み込まれる表示パネルの傾動に適用されるだけでなく、電子機器の前面に組み込まれるパネルの傾動にも適用できる。
【発明を実施するための最良の形態】
【００２３】
次に、本発明によるパネル傾動装置の実施形態について、車両搭載用ナビゲーション装置に適用した場合を例にして、図を参照しながら、以下に説明する。図１及び図２には、本実施形態のパネル傾動装置が適用されたナビゲーション装置の外観が示されている。ここに示されたナビゲーション装置本体は、図７及び図８に示した従来のナビゲーション装置を基本としており、同じ部分には、同じ符号が付されている。つまり、装置筐体１の内部にナビゲーションユニットが内蔵され、筐体１の前面には、パネル装着枠体２が取り付けられ、表示パネルＤが作動棒４の駆動により傾動したとき、ナビゲーション装置の多機能性を実現するＤＶＤなどの記録媒体を操作することができる。
【００２４】
図１及び図２に示されたナビゲーション装置が、上述の従来のナビゲーション装置と大きく異なるところは、従来のナビゲーション装置に使用されたパネル傾動装置は、パネル装着枠体２の側壁の内側面に１本の案内溝Ｃが設けられ、作動棒４が駆動されたとき、パネル枠体３の上端部に取り付けられた摺動部品が案内溝Ｃ内を摺動するだけであった。
【００２５】
これに対して、本実施形態のパネル傾動装置では、パネル装着枠体２の側壁の内側面に２本の案内溝Ｃ１及びＣ２が設けられ、案内溝Ｃ１には、パネル枠体５の上端部に取り付けられた摺動部品が嵌合されて摺動し、案内溝Ｃ２には、以下に詳述する遊動板の端部に取り付けられた摺動部品が嵌合されて摺動する。そして、パネル枠体５と遊動板とがバネで連結されている。本実施形態のパネル傾動装置は、以上の構成を基本としているので、作動棒４が駆動されてパネルが傾動されたとき、バネが遊動板をパネル本体の下部方向にバネ付勢し、そのバネ力が、パネル枠体５と遊動板とを引張し合い、表示パネルＤの引き起こしを助ける方向に作用するとともに、パネル枠体５のガタツキを抑制し、円滑なパネルの傾動を実現している。
【００２６】
そこで、先ず、本実施形態のパネル傾動装置の構成について、図３を参照しながら説明する。図３（ａ）及び（ｂ）は、図１において円Ａで示されるパネル収納状態のパネル傾動装置を示している。図３(ａ)は、図３（ｂ）において一点鎖線Ｘ−Ｘで示されたパネル傾動装置の上部断面図であり、図３（ｂ）は、パネル枠体５側に関するパネル傾動装置の構成を中心に示した側面図である。
【００２７】
そのため、パネル装着枠体２に関して、破線で示されている。パネル装着枠体２の輪郭が、太い破線で、そして、パネル装着枠体２の側壁に設けられた案内溝Ｃ１及びＣ２は、細い破線で示されている。なお、図３（ａ）及び（ｂ）では、パネル枠体５の一方の側のみが示されているが、本実施形態のパネル傾動装置は、パネル枠体５の対向する両側壁に設けられることが望ましく、パネルの傾動をより安定して行うことができる。なお、パネル装着枠体２は、アルミニウム合金などの金属材料、硬質プラスチック材料などで形成されている。
【００２８】
図３（ｂ）に示されるように、表示パネルＤを有するパネル枠体５は、従来のナビゲーション装置におけるパネル枠体３よりも厚く形成され、しかも、パネル枠体５が、パネル収納時において、パネル装着枠体５より前面にとび出ている。そして、パネル枠体５の背後には、パネル収納本体５１が設けられており、このパネル収納本体５１は、表示パネルＤのパネル収納時に、パネル装着枠体２の枠内に納まる大きさに設計される。図３（ｂ）に示された例では、パネル枠体５の上面は、パネル収納本体５１の上面と一致し、パネル収納時におけるパネル枠体５の上面とパネル装着枠体２の上面とには、段差があり、この差があることによって、パネル傾動を開始するとき、パネル枠体の上端面が、パネル装着枠体２の上側壁前面に当ることがない。
【００２９】
次に、パネル傾動装置の構成のうち、パネル収納本体５１に取り付けられる摺動部品について説明する。図３（ａ）及び（ｂ）に示された実施形態では、摺動部品として、小径のローラーＲ１を用いている。このローラーＲ１は、パネル装着枠体２の内面に設けられた案内溝Ｃ１内で回転移動するように、パネル収納本体５１の側壁における上端において、パネル枠体５側に寄った近傍に軸支される。このローラーＲ１は、パネル傾動時に、案内溝Ｃ１の摺動面に沿って上下に移動して、パネル本体の上部の動きを安定化する。
【００３０】
次いで、パネル傾動装置の構成のうち、遊動板について説明する。図３（ａ）に示されるように、パネル収納本体５１の側壁面とパネル装着枠体２の内側面との間に、所定の間隙が形成されるように、パネル収納本体５１の外形の大きさが決められる。この間隙に、パネル収納本体５１の側壁の長手方向に所定の長さを有する遊動板６が遊嵌状態で配置される。
【００３１】
この遊動板６は、パネル収納本体５１の両側壁に沿って配置されるが、各遊動板６は、パネル収納本体５１の背面において、遊動背板６１で連結されている。遊動板６と遊動背板６１とは、金属板の打ち抜きによって、一体的に形成されても、また、別体に作成され、その後接合して一体化されてもよい。また、硬質プラスチックで形成されてもよい。
【００３２】
遊動板６の一端部、つまり、図３（ｂ）に示されたパネル収納状態を基準にすれば、上端部になるが、この上端部に、パネル装着枠体２の内面に設けられた案内溝Ｃ２に関連する摺動部品が取り付けられている。図３（ａ）及び（ｂ）に示された実施形態では、この摺動部品として、小径のローラーＲ２を用いている。このローラーＲ２は、案内溝Ｃ２内で回転移動するように、遊動板６の上端部に軸支される。このローラーＲ２は、パネル傾動時に、案内溝Ｃ２の摺動面に沿って上下に移動して、遊動板６の上端部の位置を規制する。
【００３３】
さらに、図３（ｂ）に示されるように、遊動板６には、該板の長手方向に所定長さを有するピン遊嵌長孔Ｈ１、Ｈ２が間隔を置いて設けられている。これらのピン遊嵌長孔Ｈ１、Ｈ２には、パネル収納本体５１の側壁に固定して設けられた係合ピンＰ１、Ｐ２がそれぞれ遊嵌状態で挿入される。そして、パネル傾動時には、これらの係合ピンＰ１、Ｐ２は、ピン遊嵌長孔Ｈ１、Ｈ２内を遊嵌状態で移動する。図３（ｂ）に示されたパネル収納状態では、係合ピンＰ１、Ｐ２は、ピン遊嵌長孔Ｈ１、Ｈ２の上部に位置している。係合ピンＰ１、Ｐ２の位置と、ピン遊嵌長孔Ｈ１、Ｈ２の配置とは整合されている。
【００３４】
なお、本実施形態のパネル傾動装置では、遊動板６に設けられるピン遊嵌長孔が２個もうけられ、これに対応して、係合ピンも２個としたが、ピン遊嵌長孔を１個、そして、係合ピンも１個とすることもできる。また、係合ピンを２個並べて設ける場合では、ピン遊嵌長孔を２個設ける代わりに、２個の係合ピンが変位する範囲を見込んで、１個の連続した長孔とすることもできる。
【００３５】
また、図３（ｂ）に示されるように、遊動板６の下端部には、バネ取付け孔Ｈ３が設けられており、このバネ取付け孔Ｈ３と、パネル収納本体５１の側壁の下部に固定されたバネ取付けピンＰ３との間に、バネ７が取り付けられ、パネル収納本体５と遊動板６とがバネ７で連結される。このバネ７の動作状態は、後で詳述されるが、作動棒４が駆動されてパネル本体が傾動されると、遊動板６とパネル収納本体５１の下部とが変位して、バネ７が遊動板６とパネル本体の下部とを引っ張ることになる。
【００３６】
以上のように、本実施形態のパネル傾動装置の構成が、パネル収納状態を示した図３（ａ）及び（ｂ）を参照して説明された。次に、図４を参照しながら、本実施形態のパネル傾動装置の動作について説明する。図４は、図３（ｂ）に示されたパネル傾動装置における構成に基づいており、図３（ｂ）に示された部分と同じ部分には、同じ符号が付されている。
【００３７】
図３（ｂ）に示されたパネル本体が収納状態から、つまり、起立状態からパネル本体を傾動させるには、パネル装着枠体２の下部に設けられている作動棒４を、装置内部に備えられている電動モータで、図４中の矢印で示される方向に駆動する。この作動棒４の駆動によって、パネル枠体５とパネル収納本体５１よりなるパネル本体の下部を前方向に押し出す。
【００３８】
一方、パネル本体に固定された係合ピンＰ１、Ｐ２が、ピン遊嵌長孔Ｈ１、Ｈ２に遊嵌係合しているので、作動棒４が駆動されて、パネル本体の下部が突き出されると、パネル本体の傾動に応じて、係合ピンＰ１、Ｐ２が遊動板６を下方に押し下げる。このとき、遊動板６に取り付けられたローラーＲ２は、案内溝Ｃ２の規制を受けながら下方に移動し、遊動板６の上端部も案内溝Ｃ２の位置を維持している。そこで、係合ピンＰ１、Ｐ２も、パネル本体の傾動に従って、案内溝Ｃ２の位置から遠ざかることになるため、係合ピンＰ１、Ｐ２は、ピン遊嵌長孔Ｈ１、Ｈ２内で、図３（ｂ）に示された係合ピンＰ１、Ｐ２の位置から、その長手方向に変位する。
【００３９】
ここで、係合ピンＰ１、Ｐ２が、ピン遊嵌長孔Ｈ１、Ｈ２内で、図３（ｂ）の位置からその長手方向に変位した距離だけ、バネ７が更に伸張し、パネル本体と遊動板６とを引っ張ることになる。その結果、パネル収納本体５１の上端部に取り付けられたローラーＲ１が、この引っ張り力により案内溝Ｃ１の内面に押し付けられる。このバネ７の作用で、パネル本体が、傾動中における遊びを防止し、安定化を図ることができる。
【００４０】
さらに作動棒４が駆動されてパネル傾動が終了した状態が、図４に示されている。パネル傾動は、作動棒４の駆動が停止されると終了するが、パネル本体の全開状態におけるパネル傾動の終了点は、図４に示されるように、所定の角度を残した状態のパネル本体の傾動位置とする。なお、パネル本体の傾動は、作動棒４の駆動を任意のタイミングで停止すれば、パネル本体の傾動の度合いを調節することができる。
【００４１】
ここで、パネル本体の傾動停止に残った所定角度は、パネル本体の傾きを復帰させるため、作動棒４を、前とは逆に、引き込み駆動する場合に、案内溝Ｃ１におけるローラーＲ１の回転移動の開始をし易くしている。さらに、パネル本体の傾動中においては、作動棒４は、バネ７のバネ力に抗して、前方に駆動されるため、パネル本体の傾動終了後においても、このバネ力は保持されている。
【００４２】
そこで、パネル本体の傾きの復帰時において、作動棒４の引き込み駆動時の引き込み力に加えて、保持されたバネ力も、ローラーＲ１に伝達される。そのため、パネル本体パネル本体の重量が重い場合であっても、このバネ力の付加によって、パネル本体の傾き復帰を円滑に行うことができ、従前の作動棒駆動機構の駆動力のままでも、対処することができる。
【００４３】
以上で、本実施形態のパネル傾動装置の構成とその動作が説明されたが、次に、このパネル傾動装置に係る実施形態の変形例について、図５を参照しながら説明する。図５の（ａ）及び（ｂ）は、図３（ａ）の場合と同様に、図３（ｂ）に示されたＸ−Ｘ線における断面図を示し、また、図５の（ｃ）は、図３（ｂ）に示されたＹ−Ｙ線における断面図を示している。
【００４４】
図５（ａ）は、パネル傾動装置の変形例１の場合を示している。上述の実施形態では、図３（ａ）に示されているように、パネル収納本体５１の両側壁に配置された遊動板６は、遊動背板６１によって一体化されており、両側壁双方の遊動板６の移動を同じにするようにしたが、この変形例１では、遊動背板６１を無くし、両側壁双方の遊動板６が独立して移動できるようにした。双方の遊動板６が個別に配置されていても、本発明の目的を十分に達成することができる。遊動板６を個別に配置する場合には、パネル収納本体５１の背面の形状、或いは、電気配線の引き出し状態などによって、遊動背板６１を設けることができないときに適している。
【００４５】
図５（ｂ）は、パネル傾動装置の変形例２の場合を示している。上述の実施形態では、図３（ａ）に示されているように、パネル装着枠体２の内側面に形成された案内溝Ｃ１では、ローラーＲ１がその側面に押し当てられて回転移動するようにされた。これに対して、この変形例２では、特に案内溝を形成せずに、ローラーＲ１が押し当てられる面を、パネル装着枠体２の前面Ｆとした。ここで、前面Ｆの少なくともローラーＲ１の回転移動する範囲を平滑面で形成することにより、図３（ａ）に示された実施形態の場合と同様の効果を奏する。
【００４６】
ところで、例えば、図５（ｂ）に示された変形例２の場合においては、パネル枠体５とパネル装着枠体２の前面Ｆとの間に、ローラーＲ１を回転移動させるため、少なくともその直径分の隙間が発生する。そこで、この隙間を最小限にするため、図５（ｃ）に示された変形例３のように、ローラーＲ１が取り付けられた部分を除いて、パネル装着枠体２に面するパネル枠体５の背面を、パネル装着枠体２の前面Ｆに近付ける。パネル枠体５に凹部を形成して、該凹部にローラーＲ１が取り付けられている。この変形例３の様にすると、パネル収納時における埃などの侵入を防止できる。
【００４７】
なお、上述した実施形態による構成では、図３（ｂ）に示されるように、パネル枠体５の上面がパネル収納本体５１の上面と一致し、パネル収納時においては、パネル枠体５とパネル装着枠体２とに段差があることが説明された。そこで、この段差を無くした変形例４（図示なし）について説明する。
【００４８】
パネル収納時におけるパネル枠体５とパネル装着枠体２との段差が発生する要因は、図３（ｂ）に示されるように、パネル本体の収納時において、パネル枠体５の背後に取り付けられたパネル収納本体５１をパネル装着枠体２の内側に納めるようにし、さらに、パネル本体収納時からパネル傾動に移行するとき、パネル枠体５の上端が、パネル装着枠体２の前面に当らないようにしたことにある。そのため、変形例４の場合には、パネル装着枠体２における上側の側壁を、パネル収納枠体５１の形状に合わせて取り除き、切り欠き部を形成する。
【００４９】
この様に、パネル装着枠体２の上側の側壁に、この切り欠き部が形成されると、パネル本体の収納状態のときに、パネル収納本体５１の上端部がこの切り欠き部に嵌合するので、パネル枠体５の上面をパネル収納本体５１の上面に一致させておくと、パネル本体の収納状態において、パネル本体の装着部分に段差が無くなり、装置の上面の全面を平坦にできる。
【００５０】
次に、本実施形態のパネル傾動装置のローラーが回転移動する案内溝の形状に関する工夫について説明する。図２乃至図４に示された本実施形態のパネル傾動装置では、パネル装着枠体２の側壁の内面に形成された案内溝Ｃ１、Ｃ２は、その側壁の長手方向に直線的に延びる形状を有していた。そして、案内溝Ｃ１内では、ローラーＲ１が、また、案内溝Ｃ２内では、ローラーＲ２がそれぞれ上下に回転移動するものであった。
【００５１】
上述したように、案内溝が直線的に形成されている場合であっても、パネル本体の傾動の復帰時において、作動棒４の引き込み駆動時の引き込み力に加えて、保持されたバネ力も、ローラーＲ１に伝達されるため、パネル本体パネル本体の重量が重い場合であっても、このバネ力の付加によって、パネル本体の傾動復帰を円滑に行うことができることについて説明した。
【００５２】
そこで、パネル本体の傾動復帰をより一層円滑に行うことができるパネル傾動装置の変形例５について、図６に示した。図６では、パネル装着枠体２の側壁の内面のみが示されている。この内面に形成された案内溝は、下部において僅かに湾曲した形状とされる。案内溝Ｃ３は、案内溝Ｃ１に対応しており、ローラーＲ１が回転移動する。また、案内溝Ｃ４は、案内溝Ｃ２に対応し、ローラーＲ２が回転移動する。
【００５３】
これらの案内溝の形成にあたっては、パネル本体の傾動時においてパネル枠体５がパネル装着枠体２の前面に当らないようにする必要がある。そのため、案内溝Ｃ３については、僅かに湾曲する程度とする。そして、案内溝Ｃ４に関しては、遊動板に設けられたピン遊嵌長孔Ｈ１、Ｈ２の長さを増大させ、係合ピンＰ１、Ｐ２が遊嵌して移動できる長さを確保することができれば、パネル装着枠体２の側壁の幅以内で案内溝の湾曲度を調節できる。
【００５４】
図６に示されるように、案内溝Ｃ３、Ｃ４の下部において溝自体を湾曲させることにより、パネル本体の傾き復帰を開始するとき、ローラーＲ１、Ｒ２が案内溝Ｃ３、Ｃ４の内面に対して、案内溝が直線で形成されている場合に比較してより斜めに突き当たることとなり、ローラーＲ１、Ｒ２の回転移動の開始を一層し易くしている。
【００５５】
以上で、本発明によるパネル傾動装置について、ナビゲーション装置に組み込まれた表示パネルに適用した場合を例にして説明されたが、本発明によるパネル傾動装置は、表示パネルの傾動に限られず、電子機器に備えられたパネルを傾動させる場合についても、適用することができる。
【００５６】
なお、以上に説明した本実施形態のパネル傾動装置では、案内溝内を移動する摺動部品として、軸支された小径のローラーＲ１、Ｒ２が使用されたが、これらのローラーに限られず、例えば、単に、摺動突起を植設するだけとし、案内溝の摺動面を円滑に形成することによっても、本発明の目的を達成することができる。
【図面の簡単な説明】
【００５７】
【図１】本発明によるパネル傾動装置をカーナビゲーション装置に組み込んだ場合の装置外観を説明する図である。
【図２】図１に示されたカーナビゲーション装置において、表示パネルを傾動させたときの装置外観を説明する図である。
【図３】本発明によるパネル傾動装置の実施形態を説明する図である。
【図４】本発明によるパネル傾動装置の実施形態にけるパネル傾動の作動状態を説明する図である。
【図５】本発明によるパネル傾動装置の実施形態における各種の変形例を説明する図である。
【図６】本発明によるパネル傾動装置の実施形態における他の変形例を説明する図である。
【図７】従来技術によるパネル傾動装置をカーナビゲーション装置に組み込んだ場合の装置外観を説明する図である。
【図８】図７に示されたカーナビゲーション装置において、表示パネルを傾動させたときの装置外観を説明する図である。
【符号の説明】
【００５８】
１    装置筐体
２    パネル装着枠体
３、５    パネル枠体
４    作動棒
５１    パネル収納本体
６    遊動板
６１    遊動背板
７    バネ
Ｃ１〜Ｃ４    案内溝
Ｄ    表示パネル
Ｈ１、Ｈ２    ピン遊嵌長孔
Ｈ３    バネ取付け孔
Ｒ１、Ｒ２    ローラー
Ｐ１、Ｐ２    係合ピン
Ｐ３    バネ取付けピン
【図１】
2006337755.tif 000003
【図２】
2006337755.tif 000004
【図３】
2006337755.tif 000005
【図４】
2006337755.tif 000006
【図５】
2006337755.tif 000007
【図６】
2006337755.tif 000008
【図７】
2006337755.tif 000009
【図８】
2006337755.tif 000010